(57)【要約】【課題】本発明の解決すべき課題は発芽、発根の効率がよく、しかも収穫物に異物が付着し難い播種方法を提供することにある。【解決手段】  播種領域の土壌表面に通根性シート１４を被覆し、その上に播種する播種方法であって、  前記シート１４上に種子１６を播種し、さらにその上に保水材１８を散布することを特徴とする播種方法。【選択図】      図１
2008118951.tif 000002
【特許請求の範囲】
【請求項１】
播種領域の土壌表面に通根性シートを被覆し、その上に播種する播種方法であって、
前記シート上に種子を播種し、さらに少なくとも該種子上に保水材を散布することを特徴とする播種方法。
【請求項２】
請求項１記載の方法において、保水材は、粉末または顆粒状で、水と接触することにより粘着性を奏する糊剤を含むことを特徴とする播種方法。
【請求項３】
請求項２記載の方法において、保水材はα化デンプン又は糊剤含有繊維であることを特徴とする播種方法。
【請求項４】
請求項１記載の方法において、保水材は保水性シートであり、種子を通根性シートと保水性シートによりサンドイッチ状に保持させることを特徴とする播種方法。
【請求項５】
播種領域の土壌表面に通根性シートを被覆し、その上に播種する播種方法であって、
前記シート上に水と接触することにより粘着性を奏する糊剤を散布し、その上に種子を播種することを特徴とする播種方法。
【発明の詳細な説明】
【技術分野】
【０００１】
本発明は播種方法、特に播種領域にシートを被覆しつつその上に播種する方法の改良に関する。
【背景技術】
【０００２】
従来より播種領域にシートを被覆し、該シートに設けられた開口に播種することにより、水分の蒸散を適度に抑制し、且つ雑草ないし害虫の被害を軽減する播種、生育方法が周知である。
しかしながら、前述したようにシートに存在する開口からは雑草が成育し、また害虫が侵入する場合もあり、シートの効果は限定的であった。
さらに、ケール、ほうれん草などの葉物野菜はその収穫時に土壌或いは雑草が混入すると著しく商品価値を下げる。
【０００３】
この点について、シート自体をメッシュ状のものとし、その上に播種することでシートを介して根を成長させる手法も開発されている。
ところがこの手法では種子がシート上に載置されているのみであるため鳥害は避けえず、また種子が乾燥しやすいため発根するまでは極めて頻繁に散水を行う必要があった。
【特許文献１】特開２００２−３０５９１４
【特許文献２】特開平９−２９３４４９
【発明の開示】
【発明が解決しようとする課題】
【０００４】
本発明は前記従来技術に鑑みなされたものであり、その解決すべき課題は発芽、発根の効率がよく、しかも収穫物に異物が付着し難い播種方法を提供することにある。
【課題を解決するための手段】
【０００５】
前記課題を解決するために本発明にかかる播種方法は、播種領域の土壌表面に通根性シートを被覆し、その上に播種するものであって、
前記シート上に種子を播種し、さらに少なくとも該種子上に保水材を散布することを特徴とする。
【０００６】
また、前記方法において、保水材は、粉末または顆粒状で、水と接触することにより粘着性を奏する糊剤含むことが好適である。
また、前記方法において、保水材はα化デンプン又は糊剤含有繊維であることが好適である。
また、前記方法において、保水材は保水性シートであり、種子を通根性シートと保水性シートの間にサンドイッチ状に保持させることが好適である。
また、前記シート上に水と接触することにより粘着性を奏する糊剤を散布し、その上に種子を播種することも好適である。
【０００７】
なお、本発明において、通根性シートは根の成長を阻害することのない不織布ないし編み目状の樹脂或いは繊維製シートであることが好ましく、メッシュである場合には孔径が０．３〜１．０ｍｍであり、土壌中に残存する雑草の種子からの発芽、ないし害虫を通過させないことがより好ましい。
【０００８】
また、本発明において、保水材は生分解性、より好ましくは可食性糊剤、ないしこのような糊剤と繊維の複合体であることが好ましく、より具体的にはα化デンプンそのもの、或いは水溶性紙片が好適に用いられる。
また、本発明は特に葉物野菜に好適に適用され、ケール、ほうれん草、小松菜、チンゲン菜、ベビーリーフなどの畑に適用することができる。
【発明の効果】
【０００９】
以上説明したように本発明にかかる播種方法によれば、シートを介して土中に発根するため、シートに播種用の開口は存在せず、雑草或いは害虫の被害を著しく低減することができる。しかも種子上には保水材が散布されているので、湿度が適度に保たれ発芽、発根に悪影響を与えることがない。
さらに保水材が糊剤を含むことにより、散水により保水材及び種子をシートに固着することができる。
【発明を実施するための最良の形態】
【００１０】
以下、図面に基づき本発明の好適な実施形態について説明する。
図１は本発明の一実施形態にかかる播種方法により形成された畝を示している。
同図において、畑１０には数条の畝１２が形成されており、該畝１２は通根性シート１４で被覆されている。そして、シート１４は、一畝３条となるように、その長手方向へ種子１６が播種され、さらに種子１６上に粉末状の保水材１８が散布されている。
【００１１】
図２は前記図１に示した畑１０への播種工程を示している。
まず、図２（Ａ）に示すように畝１２上に、該畝１２と同等ないしやや大きい幅を有するシート１４を配置する。
次に図２（Ｂ）に示すようにシート１４上に一定間隔で種子１６を播種する。
【００１２】
そして、図２（Ｃ）に示すように種子１６上に粉末状のα化デンプン１８を散布する。
さらに同図（Ｄ）に示すように散水２０を行うと、α化デンプンは水と接触して糊化する。そして、糊化デンプン２２はそれ自身及び種子１６をシート１４に固着させる。
【００１３】
この結果、糊化デンプン２２は保水性を発揮しつつ、風により種子が飛散したり、鳥により種子が食害されることを防止することができる。
以上のようにして種子２２は一般の畑等に播種されたときと同様、α化デンプン中で好適な温度、湿度環境が維持され、適正な発芽、生育が行われる。
【００１４】
そして、採取時には、図２（Ｅ）に示されるように、シート１２の下方で根切り（根切り線２８）を行い、シート１２上の野菜３０を採取する。
この結果、野菜３０にはほとんど土壌が付着せずに収穫することが可能となる。
なお、糊化デンプン２２は種子１６より根が伸長し、シート１４を貫通して土中に至り、野菜３０がしっかりと固定されるまで存在すればよく、その後土中細菌等により分解されても問題はない。さらに、野菜３０採取にまで糊化デンプン２２が残存していた場合にも、糊化デンプンは可食性であり、万一野菜に付着したまま出荷されてもなんら不都合はない。
【００１５】
図３は本実施形態において用いられる播種装置の概略構成を示す上面図であり、図４は同装置の側面図である。
同図に示す播種装置４０は、シートガイド４２と、播種フレーム４４を備え、シートガイド４２は畝１２と略同幅のシート１４をガイドする。また、播種フレーム４４は畝１２の両側に位置する車輪４６と、播種手段４８及び保水材散布手段５０を備えている。
そして、播種手段４６は、シート１４上に一定間隔で播種し、保水材散布手段５０は前記種子１６上に粉末状α化デンプン１８を散布する。
この操作は、播種装置４０を畝１２の長さ方向に移動させることにより連続的に行われる。
【００１６】
この後、通常の散水によりα化デンプンは糊化し、保水材自身および種子をしっかりとシート１４へ固定することになる。以後、糊化デンプンは種子を必要以上に乾燥させることなく、発根の促進を行う。
【００１７】
なお、保水材としては、α化デンプン以外にも、たとえば水溶性紙片など、糊剤を含む繊維質素材を用いることも好適であり、これらはα化デンプン以上に長期間にわたり保水材として機能しえる。
また、本発明において、前記シート上に水と接触することにより粘着性を奏する糊剤をまず散布し、散水後播種し、必要に応じ、さらに散水することも好適である。
【図面の簡単な説明】
【００１８】
【図１】本発明の一実施形態にかかる播種状態の説明図である。
【図２】本発明にかかる播種方法の工程説明図である。
【図３】本発明の一実施形態にかかる播種装置の概略構成を示す上面図である。
【図４】本発明の一実施形態にかかる播種装置の概略構成を示す側面図である。
【符号の説明】
【００１９】
１０      畑
１２      畝
１４      シート
１６      種子
１８      保水材
【図１】
2008118951.tif 000003
【図２】
2008118951.tif 000004
【図３】
2008118951.tif 000005
【図４】
2008118951.tif 000006